(57)【要約】　　　（修正有）【課題】ネジ無端子台の電線接続の際、電線を接続板バネと接続板の間に圧入した時に電線の圧入状況を確認できるようにして、電線の接続不良を防止する。【解決手段】接続板２４ａと該接続板に対向する位置に接続板バネ２１ａを有する端子基台と、該端子基台の接続板と接続板バネの間に電線２９を圧入するネジ無端子台において、下端部に電線当接部３２を有すると共に上部に表示部３１を有する表示体３０と、該表示体を回動自在に端子基台の電線挿入部に隣接して設け、該電線挿入部に挿入した電線の下端が電線当接部を押圧して表示体を回動させるネジ無端子台の電線接続検知構造。【選択図】　　　　　図２
0003098937.tif 000002
【実用新案登録請求の範囲】
【請求項１】
接続板と該接続板に対向する位置に接続板バネを有する端子基台と、該端子基台の接続板と接続板バネの間に電線を圧入して接続するネジ無端子台において、下端部に電線当接部を有すると共に上部に表示部を有する表示体と、該表示体を回動自在に端子基台の電線挿入部に隣接して設け、該電線挿入部に挿入した電線の下端が電線当接部を押圧して表示体を回動させるネジ無端子台の電線接続検知構造。
【請求項２】
表示体は電線下端の押圧の回動で表示部を端子基台の確認窓に露出させて電線接続を確認できる請求項１記載のネジ無端子台の電線接続検知構造。
【考案の詳細な説明】
【０００１】
【考案の属する技術分野】
本考案はネジ無端子台において、電線を接続板と接続板バネの間に挿入して接続する際、電線の挿入の完了状態を視覚で確認できる構造として電線接続が確実にできるようにしたネジ無端子台の電線接続検知構造に関するものである。
【０００２】
【従来の技術】
従来から実施されているこの種のネジ無端子台は図１に示す通り、１は端子基台、２は接続板バネで略逆Ｕ型に湾曲されてバネ性を有し、上部湾曲部が端子基台１の溝６に装着され、３は両端が上方に折曲された接続板で、端子基台１の上部の電線挿入孔４より挿入される電線５が接続板バネ２の側端部と接続板３の内側面部の間に圧入され、電線５が端子台に接続される。この従来の構造であると、端子基台１の電線挿入孔４より電線５を挿入する時に電線５が完全に挿入されたかどうかの確認ができない問題点があった。
【０００３】
【考案が解決しようとする課題】
以上の如く、従来のネジ無端子台では電線を端子台の電線挿入孔に挿入する際、電線の芯線が接続板と接続板バネの間に挿入した状況を確認できる手段を有していなかった為、電線の挿入不足、または挿入し過ぎ等で、接続不良を起こすことがあり、本願は電線接続の際に接続不良が起こらないようにしたネジ無端子台を得ることを課題とする。
【０００４】
【課題を解決するための手段】
本考案は、接続板と該接続板に対向する位置に接続板バネを有する端子基台と、該端子基台の
接続板と接続板バネの間に電線を圧入して接続するネジ無端子台において、下端部に電線当接部を有すると共に上部に表示部を有する表示体と、該表示体を端子基台に回動自在に設け、端子基台の
電線挿入部に電線を挿入した際に、電線の下端で表示体の電線当接部を押圧して表示体を回動させて、電線の挿入状態を表示体で確認できるようにした構造。
【０００５】
【考案の実施の形態】
本考案は、端子台の電線挿入口に電線を挿入した際、電線の芯線が接続板と接続板バネの間に圧入し、電線の圧入の完了が表示体により確認できるので、電線の端子台への接続が確実となる。
【０００６】
【実施例】
本考案について図２〜図５に基づいて説明すると、２０は端子基台、２１、２１は接続板バネでバネ性を有し、上部に半円形の逆Ｕ形部２１ａを形成し、下部は両側にハ字状に開いた側片部２１ｂ、２１ｂを一体に形成し、逆Ｕ形部２１ａが端子基台２０の支持軸部２２，２２に嵌合して端子基台２０の左右に保持され、２４は接続板で左右端に内方に折曲した接続部２４ａ、２４ａを有し、中央上部の開放部に対向して内方に折曲した受部２４ｂ、２４ｂを形成し、さらに下端部に内方に折曲した保持部２４ｃを形成し、接続部２４ａ、２４ａ、受部２４ｂ、受部２４ｂ及び保持部２４ｃが一体形成されている。
【０００７】
接続板２４は受部２４ｂ、２４ｂが端子基台２０中央部のＹ字形壁２５に嵌合し、両側の接続部２４ａ、２４ａが端子基台２０の側壁部２６、２６に係合し、保持部２４ｃが端子基台２０の溝２５ａに嵌合して保持されている。左右の接続板バネ２１，２１の１方の側片部２１ｂ、２１ｂが接続板２４の接続部２４ａ、２４ａの内側面にバネ圧を持って当接し、左右の接続板バネ２１，２１の他方の側片部２１ｂ、２１ｂが受部２４ｂ、２４ｂの左右内側面に当接して保持している。
【０００８】
２７，２７は解除棒で端子基台２０の上部の孔２８、２８より挿入され、解除棒２７、２７の下端部が接続板バネ２１、２１の電線２９の挿入側の側片部２１ｂ、２１ｂ上側面に当接し、解除棒２７、２７の押圧で側片部２１ｂ、２１ｂを内側に変形させて、電線２９の挿入時、引き外しの時に接続部２４ａ、２４ａと側片部２１ｂ、２１ｂの間に空間を形成して電線２９の接続、引き外しができる。３０は表示体で上部に表示部３１を有し、下部に電線２９の下端が当接する当接部３２を有し、表示体３０は上下間の適切な位置で表示体３０の軸部３３が端子基台２０の回動孔に回動自在に軸止され、端子基台２０の電線挿入孔３４に隣接して設置されると共に表示体３０と一体に形成したバネ体３５で表示体３０は常時、時計方向に付勢されている。
【０００９】
電線２９を端子基台２０の電線挿入孔３４に接続挿入する際の電線接続検知方法を説明すると、
図３に示す如く電線２９を電線挿入孔３４に挿入し電線２９の芯線が接続板バネ２１の側片部２１ｂと接続板２４の接続部２４ａ間に圧入されると、電線２９の芯線が接続板バネ２１の側片部２１ｂと接続板２４の接続部２４ａ間に圧入完了して電線２９の芯線の下端が表示体３０の当接部３２を押圧すると、表示体３０は軸部３３を支点に反時計方向に回動し図３の点線で示す位置となり、表示体３０上部の表示部３１が端子基台２０の表示窓３６に表われ、目視により電線が完全に挿入されていることが確認でき、電線接続が確実にできる。
【００１０】
【考案の効果】
以上説明したように本考案では、ネジ無端子台の電線接続の際に電線の芯線が接続板バネと接続板の間に圧入完了後、電線の芯線の下端の押圧で回動する表示体を設けたので、表示体の表示部で電線接続完了の確認ができ、電線接続の挿入不足及び挿入し過ぎによる接続不良をなくすことができ、多数設置されたネジ無端子台の接続作業が迅速、確実にできる効果がある。
【図面の簡単な説明】
【図１】従来のネジ無端子台の正面図。
【図２】本考案のネジ無端子台の正面図。
【図３】本考案のネジ無端子台の電線接続検知方法を説明する図。
【図４】本考案に係るネジ無端子台の分解斜視図
【図５】本考案に係る接続板の背面斜視図
【符号の説明】
１
端子基台
２　　　　　　　　　　　　　　　接続板バネ
３
接続板
４
電線挿入孔
５
電線
２０
端子基台
２１、２１
接続板バネ
２１ａ
逆Ｕ形部
２１ｂ、２１ｂ
側片部
２２、２２
支持軸部
２４
接続板
２４ａ、２４ａ
接続部
２４ｂ、２４ｂ
受部
２４ｃ
保持部
２５
Ｙ字形壁
２５ａ
溝
２６、２６
側壁部
２７、２７
解除棒
２８、２８
孔
２９
電線
３０
表示体
３１
表示部
３２
当接部
３３
軸部
３４
電線挿入孔
３５
バネ体
３６
表示窓
【図１】
0003098937.tif 000003
【図２】
0003098937.tif 000004
【図３】
0003098937.tif 000005
【図４】
0003098937.tif 000006
【図５】
0003098937.tif 000007